(57)【要約】      （修正有）【課題】スマートデバイスにインストールされた筆記アプリケーションにおいて、色、線の太さや色の明度を選択する手間をかけずに、タッチペンに含まれているボタンなどを利用して制御する。【解決手段】ユーザ端末装置と近距離通信を通じてペアリングを形成し、信号を送受信する通信部１００と、前記タッチペンの外側に形成されて第１地点または第２地点に位置させることができる部材を含む。前記部材が前記第１地点に位置するとプリセットされた色が選択され、部材が第２位置に位置すると前記プリセットされた色の選択が解除される色選択部１１０と、前記選択された色の情報をユーザ端末装置に伝達する制御部１２０を含む。また、使用される色をタッチペンのＬＥＤ１３０を利用して表示することにより、ユーザがアプリケーションにおいて色を確認することなく、直感的に選択された色を感知させる。【選択図】図１
2017033548.tif 000002
【特許請求の範囲】
【請求項１】
ユーザ端末装置に筆記のための色制御が可能なタッチペンにおいて、
前記ユーザ端末装置と近距離通信を通じて、ペアリングを形成し、信号を送受信する通信部と、
前記タッチペンの外側に形成されて第１地点または第２地点に位置させることができる第１部材を含み、前記第１部材が前記第１地点に位置すると、プリセットされた色が選択され、前記第１部材が第２地点に位置すると、前記プリセットされた色の選択が解除される色選択部と、
第２部材が、前記第１地点と前記第２地点との間に位置するレベルに位置することにより、前記のレベルの位置に対応する前記ユーザ端末装置に表示される線の太さ、色の種類、明度または彩度のいずれか一つの色の情報を選択する色調節部と、及び
前記選択された色の情報を前記ユーザ端末装置に伝達する制御部を含み、
前記第１部材は、
それぞれ異なる色のプリセットされた複数の第１部材を含み、前記プリセットされた色で形成されることを特徴とするタッチペン。
【請求項２】
前記タッチペンの外側に形成され、前記選択された色に対応して色を表示するＬＥＤ部を更に含むことを特徴とする請求項１に記載のタッチペン。
【請求項３】
前記ユーザ端末装置に筆記できる筆記モードまたは前記ユーザ端末装置に筆記した内容を消すことができるクリアモードを選択されるモード選択部を更に含むことを特徴とする請求項１に記載のタッチペン。
【請求項４】
前記ユーザ端末装置は、
前記タッチペンの動きに対応する筆記情報を感知し、
前記感知された筆記情報を、前記選択された色情報に対応して表示することを特徴とする請求項１に記載のタッチペン。
【請求項５】
前記ユーザ端末装置は、
前記ユーザ端末装置の液晶に設置されたセンサー部を通じて、前記タッチペンのペン先までの距離を測定し、
前記測定された距離が、既に保存されたしきい値よりも小さいか等しい場合、前記ペン先の動きを感知し、前記感知された動きに対応して、前記液晶に前記筆記情報を表示することを特徴とする請求項４に記載のタッチペン。
【請求項６】
前記ユーザ端末装置に図形が筆記される場合、前記図形の筆記軌跡を感知して、前記感知された筆記軌跡に沿って、プリセットされた図形が前記ユーザ端末装置に表示される、図形の筆記モードを選択される図形の筆記部を更に含むことを特徴とする請求項１に記載のタッチペン。
【発明の詳細な説明】
【技術分野】
【０００１】
本発明は、色制御が可能なタッチペンに関し、更に具体的には、タッチペンを利用して、ユーザ端末装置に入力される筆記情報の色を制御するための色制御が可能なタッチペンに関する。
【背景技術】
【０００２】
最近、スマートデバイスの普及が広がし、さまざまな種類のスマートデバイス用アプリケーションが開発されながら、人々の日常生活にスマートデバイスとアプリケーションを利用することが増えている。
【０００３】
特に、教育現場などにもスマートデバイスの普及が大衆化されながら、紙になった書籍の代わりに、スマートデバイスに書籍アプリケーションをインストールして、授業を行い、学生は、直接にスマートデバイスに授業時間に聞いた内容を筆記する。これだけでなく、日常にも過去の手帳にしていたメモを、現在は、スマートデバイスにメモしたりして、必要に応じて、直接に相手に送信することもある。
【０００４】
通常は、授業内容やメモを筆記する場合、筆記の色や太さ、明度などを、様々に調節して、メモの視覚的効果を高めるが、この時、ユーザは、スマートデバイスに含まれているアプリケーションから提供されるインターフェースを利用して、色、明度、線の太さなどをタッチペンで選択してから筆記するようになる。
【０００５】
しかし、アプリケーションから提供されるインタフェースを利用することは、ユーザにとっては、手間がかかるだけでなく、どのような色、明度、太さなどを選択するかは、直感的に感知されないという問題点がある。
【先行技術文献】
【特許文献】
【０００６】
【特許文献１】韓国登録特許第１０−１１２３８３７号公報（２０１２.０３.１５公報)
【発明の概要】
【発明が解決しようとする課題】
【０００７】
本発明が解決しようとする技術的課題は、タッチペンを利用して、ユーザ端末装置に入力される筆記情報の色を制御するための色制御が可能なタッチペンを提供することである。
【課題を解決するための手段】
【０００８】
これらの技術的課題を達成するための本発明の実施例によれば、ユーザ端末装置に筆記のための色制御が可能なタッチペンにおいて、前記タッチペンは、前記ユーザ端末装置と近距離通信を通じて、ペアリングを形成し、信号を送受信する通信部と、前記タッチペンの外側に形成されて第１地点または第２地点に位置させることができる第１部材を含み、前記第１部材が前記第１地点に位置すると、プリセットされた色が選択され、前記第１部材が第２地点に位置すると、前記プリセットされた色の選択が解除される色選択部と、及び前記選択された色の情報を前記ユーザ端末装置に伝達する制御部を含む。
【０００９】
前記タッチペンの外側に形成され、前記選択された色に対応して、色を表示するＬＥＤ部を更に含むことができる。
【００１０】
前記ユーザ端末装置に筆記できる筆記モードまたは前記ユーザ端末装置に筆記した内容を消すことができるクリアモードを選択されるモード選択部を更に含むことができる。
【００１１】
前記ユーザ端末装置は、前記タッチペンの動きに対応する筆記情報を感知し、前記感知された筆記情報を、前記選択された色情報に対応して表示することができる。
【００１２】
前記ユーザ端末装置は、前記ユーザ端末装置の液晶に設置されたセンサー部を通じて、前記タッチペンのペン先までの距離を測定し、前記測定された距離が、既に保存されたしきい値よりも小さいか等しい場合、前記ペン先の動きを感知し、前記感知された動きに対応して、前記液晶に前記筆記情報を表示することができる。
【００１３】
前記色選択部は、前記部材が前記第１地点と前記第２地点との間に位置するレベルに位置することにより、前記のレベルの位置に対応する前記ユーザ端末装置に表示される線の太さ、色の明度または彩度のいずれか一つを選択されることができる。
【００１４】
前記ユーザ端末装置に図形が筆記される場合、前記図形の筆記軌跡を感知して、前記感知された筆記軌跡に沿って、プリセットされた図形が前記ユーザ端末装置に表示される、図形の筆記モードを選択される図形の筆記部を更に含むことができる。
【発明の効果】
【００１５】
このように、本発明によれば、色制御が可能なタッチペンは、スマートデバイスにインストールされた筆記アプリケーションにおいて、色、線の太さや色の明度を選択する手間をかけずに、タッチペンに含まれているボタンなどを利用して制御することができる。また、使用される色をタッチペンのＬＥＤを利用して表示することにより、ユーザがアプリケーションにおいて、色を確認することなく、直感的に選択された色を感知することができるので、タッチペンの使いやすさを向上させることができる。
【図面の簡単な説明】
【００１６】
【図１】本発明の実施例に係るタッチペンの構成図である。
【図２】本発明の実施例に係るタッチペンを説明するための図である。
【図３】本発明の一実施例に係る色選択部を説明するための図である。
【図４】線の太さ、色の明度または彩度の選択方法を説明するための図である。
【図５】線の太さが変更された状態を説明するための図である。
【図６】線の明度が変更された状態を説明するための図である。
【図７】本発明の実施例に係る図形の筆記部を説明するための図である。
【発明を実施するための形態】
【００１７】
以下は、添付した図面を参考にして、本発明の実施例について、当業者にとって容易に実施できるように詳細に説明する。しかし、本発明は、いくつかの異なる形態で実現されることがあり、ここで説明する実施例に限定するものではない。そして、本発明を明確に説明するために、図面では、説明と関係ない部分は省略し、明細書全体を通じて類似した部分については図面の符号を付けた。
【００１８】
明細書全体で、どの部分がどのような構成要素を「含む」とするとき、これは、特に反対される記載がない限り、他の構成要素を除くことでなく、他の構成要素をさらに含むことができるということを意味する。
【００１９】
これにより、添付した図面を参考にして、本発明の実施例について当業者にとって、容易に実施できるように詳細に説明する。
【００２０】
以下は、図１乃至図７を通じて、本発明の実施例に係る色制御が可能なタッチペンについて検討する。図１は、本発明の実施例に係るタッチペンの構成図であり、図２は、本発明の実施例に係るタッチペンを説明するための図である。
【００２１】
図１で見るように、タッチペンは、通信部１００と、色選択部１１０と、制御部１２０とを含み、ＬＥＤ部１３０と、クリア選択部１４０または図形選択部１５０の中のいずれか一つとを更に含むことができる。
【００２２】
まず、通信部１００は、前記ユーザ端末装置と近距離通信を通じて、ペアリングを形成し、信号を送受信する。ここで、近距離通信は、ブルートゥース（Ｂｌｕｅｔｏｏｔｈ）（登録商標）、ジグビー（ＺｉｇＢｅｅ）、Ｗｉ−Fｉ（Ｗｉｒｅｌｅｓｓ Fｉｄｅｌｉｔｙ）、ワイギグ（ＷｉＧｉｇ、ＷｉｒｅｌｅｓｓＧｉｇａＢｉｔ）、ビーコン（Ｂｅａｃｏｎ）などの無線通信を含むだけでなく、USＢなどを利用した有線通信も含むことができる。
【００２３】
また、ユーザ端末装置は、ユーザがタッチペンを利用して筆記することができる入出力デバイスを意味し、例えば、タッチシステムが装着されているデスクトップパソコン、ノートパソコン、パームトップ（ｐａｌｍｔｏｐ）パソコン、スマートフォン、個人携帯情報端末（ＰＤＡ、ｐｅｒｓｏｎａｌ  ｄｉｇｉｔａｌ  ａｓｓｉｓｔａｎｔ）、ウェブパッド、スマートウォッチなどのメモリ手段を具備し、マイクロプロセッサーを搭載して、演算能力を備えた端末を含む。
【００２４】
また、ユーザ端末装置は、ユーザ端末装置の液晶に設置されたセンサー部を通じて、タッチペンのペン先までの距離を測定し、測定された距離が既に保存されたしきい値よりも小さいか等しい場合、ペン先の動きを感知してから、感知された動きに対応して、メモ内容を表示することができる。
【００２５】
例えば、既に保存されたしきい値が０.５ｃｍと仮定した場合、タッチペンのペン先とユーザ端末装置の液晶との距離が０.７ｃｍの場合には、ユーザ端末装置は、ペン先の動きを感知することができないが、０.３ｃｍの場合には、ユーザ端末装置は、ペン先の動きを感知し、感知された動きに応じて、ユーザ端末装置にメモの内容を表示する。これにより、ユーザは、タッチペンのペン先をユーザ端末装置の液晶に接触していなくても、ユーザ端末装置の液晶にメモの内容を表示することができる。
【００２６】
また、ユーザ端末装置は、タッチペンの動きに対応する筆記情報を感知し、感知された筆記情報を、選択した色情報に対応して表示する。
【００２７】
また、通信部１００は、ユーザ端末装置とペアリングを形成した後、ユーザ端末装置とタッチペンとの間の信号を送受信し、制御部１２０より生成された制御信号をユーザ端末装置に送信する。
【００２８】
次に、色選択部１１０は、プリセットされた色を選択されたり、選択された色を無効に解除される。ここで、色選択部１１０は、タッチペンの外側に形成された部材を含み、ユーザは、外側に形成された部材を利用して、プリセットされた色を選択したり、選択を解除することができる。そして、部材は、第１地点または第２地点に位置することができ、この時、第１地点は、部材にプリセットされた色を選択される地点を意味し、第２地点は、選択を解除する地点を意味する。
【００２９】
また、部材はプリセットされた色と同じ又は類似の色で形成することができ、ＬＥＤのような発光素子を通じて，部材にプリセットされた色と同じ又は類似の色が部材に表示することができる。
【００３０】
そして、部材は、タッチペンの外側に複数形成されることができ、複数の部材は、それぞれ異なる色に設定されることができる。
【００３１】
以下では、図２乃至図６を通じて、色選択部の一実施例について具体的に検討する。図２を通じて示すように、色選択部１１０は、タッチペンの外側に形成された複数の部材１１１、１１２、１１３を含むことができ、各部材は、各部材の第１地点または第２地点に位置することができる。
【００３２】
図３は、本発明の一実施例に係る色選択部を説明するための図であり、例えば、図３のように、部材がタッチペンの外側に複数形成されており、第１部材１１１は赤に、第２部材１１２は青に、第３部材１１３は黒にすでに設定されていることに仮定する。ユーザが図３の（ａ）に示すように、赤が既に設定され、第１部材１１１を、第１地点に位置させることとすれば、タッチペンは、赤の選択に対応する制御信号をユーザ端末装置に送信することになり、ユーザ端末装置は、筆記の色として、赤を選択することになる。これにより、ユーザが、ユーザ端末装置の液晶にタッチペンを利用して筆記する場合、赤で筆記される。
【００３３】
そして、赤の色を使用しない場合、ユーザが、赤が既に設定された第１部材１１１を第２地点に位置させると、赤の選択を解除する制御信号をユーザ端末装置に送信することになり、ユーザ端末装置のメモアプリケーションは、赤の選択を解除することになる。
【００３４】
もし、赤が選択されている状況で、ユーザが、黒が既に設定された第３部材１１３を第１地点に位置させる場合、図３の（ｂ）に示すように、残りの第１部材１１１と第２部材１１２は、第２地点に位置することができる。すなわち、第１部材乃至第３部材は、いずれか一つが選択されると、残りの部材は、選択が解除されることができる。
【００３５】
また、色選択部１１０は、部材が、第１地点と第２地点の間に位置する各レベルに位置することで、各レベルの位置に対応する線の太さ、色の明度または彩度のいずれか一つを選択することができる。そして、各レベルの位置に対応して、異なる色が既に設定することができ、色選択部１１０は、部材が位置するレベルに対応してプリセットされた色を選択することもできる。
【００３６】
図４は、線の太さ、色の明度または彩度の選択方法を説明するための図であり、図５は、線の太さが変更された状態を説明するための図であり、図６は、線の明度が変更された状態を説明するための図である。
【００３７】
例えば、第１地点と第２地点との間に、４つのレベルが存在すると仮定し、レベル１からレベル４に行くほど、線の太さが厚くなったり、色の明度が暗くなったり、または色の彩度が高くなると仮定する。図４の（ａ）は、部材がレベル１にある場合であり、ユーザが筆記時の線の太さが０になったり、色の明度または彩度は、ユーザ端末装置が設定できる最大明度になることができる。図５または図６の（ａ）、（ｂ）、（ｃ）は、それぞれ図４の（ｂ）、（ｃ）、（ｄ）に対応した筆記状態を示す。即ち、ユーザが図４の（ｂ）のように、部材をレベル２に位置させた後、筆記した場合、筆記時の線の太さが、図５の（ａ）に示すように表示されたり、色の明度が図６の（ａ）のように表示されることができる。図４の（ｃ）のように、部材をレベル３に位置させた場合、図５の（ｂ）のような太さや、図６の（ｂ）のような明度で書込むことができ、図４の（ｄ）のように、部材をレベル４に位置させる場合、図５の（ｃ）または図６の（ｃ）に示すように書込むことができる。
【００３８】
図４乃至図６は、第１地点と第２地点との間を、４つのレベルに分類したが、本発明の実施例によると、２つ以上の複数のレベルに実現することができ、第１部材が位置する各レベルと第１点に対応する線の太さや色の明度も別々に設定することができる。
【００３９】
また、部材は、第１地点及び第２地点の間に、線形的に配置することができ、線の太さ、色の明度または彩度のいずれもこれに対応して線形的に選択することができる。即ち、線の太さ、色の明度または彩度のいずれか一つを、第１地点が最大に、第２地点が最小になるように設定して、部材が第２地点から第１地点に移動した距離に対応して、線の太さ、色の明度または彩度のいずれか一つを線形的に選択されることができる。
【００４０】
また、線の太さ、色の明度または彩度のいずれか一つは、色の選択に利用される部材を利用して、選択することができ、別の部材を利用して、選択されることもできる。
【００４１】
これにより、制御部１２０は、色選択部１１０によって選択された色に対応した制御信号を生成する。制御部１２０は、ユーザ端末装置のメモアプリケーションと連動される制御信号を生成し、この時、制御信号は、色選択部１１０がユーザから選択された色、線の太さ、色の明度と彩度に関する情報のうちの少なくとも一つを含まれている。
【００４２】
次に、ＬＥＤ部１３０は、選択された色に対応してタッチペンの外部に色を表示し、この時、ＬＥＤ部１３０は、ＬＥＤ（Ｌｉｇｈｔ-Ｅｍｉｔｔｉｎｇ  Ｄｉｏｄｅ）素子などの発光素子を利用して、タッチペンの外側に色を表示することができる。例えば、色選択部１１０が選択された色が青だとすれば、ＬＥＤ部１３０は、ＬＥＤ素子を利用して、タッチペンの外側に青を表示する。
【００４３】
また、ＬＥＤ部１３０は、色選択部１１０が選択された線の太さ、色の明度または彩度のいずれか一つに基づいて、ＬＥＤ素子のような発光素子の明度を調節して、タッチペンの外側に表示することもできる。例えば、ＬＥＤ素子の明度を４段階に区分し、第１段階で第４段階に行くほどＬＥＤ素子の明度が明るくなると仮定すると、図４の（ｂ）、図５及び図６の（ａ）のような場合、ＬＥＤ素子の明度を第１段階にしてタッチペンの外側に表示し、図４の（ｄ）、図５及び図６の（ｃ）のような場合、ＬＥＤ素子の明度を第４段階にしてタッチペンの外側に表示することができる。
【００４４】
そして、モード選択部１４０は、ユーザ端末装置に筆記することができる筆記モードまたはユーザ端末装置に筆記した内容を消すことができるクリアモードを選択することができる。本発明の一実施例によれば、モード選択部１４０は、タッチペンの外側に形成されて、ユーザからモードを選択されることができ、このときのタッチセンサー、ボタン、スイッチなどの形でタッチペンの外側に実現することができる。例えば、タッチペンの外側に、タッチセンサーの形で実現されている場合、ユーザが、タッチセンサーを一回タッチすると、モード選択部１４０は、筆記モードを選択され、二回タッチすると、クリアモードを選択することができる。
【００４５】
ユーザによって、筆記モードまたはクリアモードが選択された後、制御部１２０は、選択されたモードに対応した制御信号は、生成されて通信部１００を通じて、ユーザ端末装置に送信する。
【００４６】
次に、図形の筆記部１５０は、図形の筆記モードを選択することができる。ここで、図形の筆記モードとはユーザ端末装置に図形が筆記される場合、図形の筆記軌跡を感知し、感知された筆記軌跡に沿って、プリセットされた図形がユーザ端末装置に表示されることを意味する。即ち、ユーザがタッチペンを利用して、ユーザ端末装置に図形を筆記する場合、ユーザ端末装置が歪んだ図形の形を描いても、これに対応した正確な形態の図形を液晶部に表示することを指す。
【００４７】
図７は、本発明の実施例に係る図形の筆記部を説明するための図であり、例えば、ユーザがタッチペンを利用して、ユーザ端末装置に円形を描く場合、図７の（ａ）に示すように歪んだ円形が描かれるが、ユーザが図形の筆記モードを選択して描く場合は、図７の（ｂ）に示すように、正確な形の円形が描かれる。
【００４８】
図形の筆記部１５０が、図形の筆記モードを選択した場合、制御部１２０は、これに対応する制御信号を生成して、通信部１００を通じてユーザ端末装置に送信する。
【００４９】
本発明の実施例によれば、図形の筆記部１５０は、図２に示すように、タッチペンの外側に形成され、ユーザからモードを選択されることができ、このとき、タッチセンサー、ボタン、スイッチなどの形態でタッチペンの外側に実現することができる。例えば、タッチペンの外側にタッチセンサーの形態で実現されている場合、ユーザがタッチセンサーを一回タッチすると、図形の筆記部１５０は、図形の筆記モードを選択されて、二回タッチすると、図形の筆記モードの選択を解除することができる。
【００５０】
本発明の実施例によれば、色制御が可能なタッチペンは、スマートデバイスにインストールされた筆記アプリケーションにおいて、色、線の太さや色の明度を選択する手間がかけずに、タッチペンに含まれているボタンなどを利用して制御することができる。また、使用されている色を、タッチペンのＬＥＤを利用して表示することにより、ユーザがアプリケーションにおいて、色を確認することなく、直感的に選択された色を感知することができるので、タッチペンの使いやすさを向上させることができる。
【００５１】
本発明は、図面に示された実施例を参考に説明されたが、これは例示的なものに過ぎず、当業者にとっては、このことから、様々な変形及び均等な他の実施例が可能であるということを理解する。したがって、本発明の実際の技術的保護範囲は、添付された特許請求の範囲の技術的思想によって定められるべきである。
【符号の説明】
【００５２】
１００  通信部        １１０ :色選択部
１１１  第一部材      １１２ :第二部材
１１３  第３部材      １２０  制御部
１３０  ＬＥＤ部      １４０  モード選択部
１５０  図形の筆記部
【図１】
2017033548.tif 000003
【図２】
2017033548.tif 000004
【図３】
2017033548.tif 000005
【図４】
2017033548.tif 000006
【図５】
2017033548.tif 000007
【図６】
2017033548.tif 000008
【図７】
2017033548.tif 000009